【手続補正書】
【提出日】平成18年9月1日(2006.9.1)
【手続補正１】
【補正対象書類名】明細書
【補正対象項目名】特許請求の範囲
【補正方法】変更
【補正の内容】
【特許請求の範囲】
【請求項１】 圧縮機と熱交換器とからなる冷凍サイクルおよび水または熱媒体を保持する保持体（２５、３４，３５、Ｙ）を含む冷暖房給湯装置であって、  前記熱交換機と前記保持体との間には熱媒体が循環する熱移動手段が接続され、前記熱移動手段は熱源として選定される前記熱交換器により熱交換されて加熱あるいは冷却され、前記水または熱媒体が前記熱移動手段を介して前記熱交換器により間接的に加熱されるようになっていることを特徴とする冷凍サイクルからなる冷暖房給湯装置。      
【請求項２】圧縮機、凝縮器、蒸発器等の中に第１、２の熱交換器が含まれている冷凍サイクルからなる冷暖房給湯装置であって、
前記第１の熱交換器（３、３’、３”）は加熱源として選定され、そして前記第２の熱交換器（１３）は暖房および冷房源として選定され、前記第１の熱交換器（３、３’、３”）と第２の熱交換器（１３）は冷媒回路的に直列に接続されていると共に、前記第１の熱交換器（３、３’、３”）には熱媒体が循環する熱移動手段（２０、２０’、２０”）が接続され、浴槽（Ｙ）の湯および貯湯槽（２５）の水は前記熱移動手段（２０、２０’、２０”）を介して前記第１の熱交換器（３、３’、３”）により間接的に加熱されるようになっていることを特徴とする冷凍サイクルからなる冷暖房給湯装置。
【請求項３】請求項１または２に記載の冷暖房給湯装置において、熱移動手段と保持体である浴槽（Ｙ）との間には、浴湯の濾過、浄化手段、前記熱移動手段（２０）と浴湯との間に熱交換する熱交換器（９０）等からなる浴槽装置（５０）が介装されている冷凍サイクルからなる冷暖房給湯装置。
【請求項４】圧縮機、凝縮器、蒸発器等の中に第１、２および第３の熱交換器が含まれている冷凍サイクルからなる冷暖房給湯装置であって、
前記第１および第２の熱交換器（３”、３’）は加熱源として選定され、そして前記第３の熱交換器（１３）は暖房および冷房源として選定され、前記第１および第２の熱交換器（３”、３’）は前記第３の熱交換器（１３）と冷媒回路的に直列に接続されていると共に、前記第１の熱交換器（３”）と前記第２の熱交換器（３’）には熱媒体が循環する熱移動手段（２０”、２０’）がそれぞれ接続され、浴槽（Ｙ）の湯および貯湯槽（２５）の水は、前記熱移動手段（２０”、２０’）を介して前記第１、２の熱交換器（３”、３’）により、それぞれ独立して間接的に加熱されるようになっていることを特徴とする冷凍サイクルからなる冷暖房給湯装置。  
【請求項５】 圧縮機、凝縮器、蒸発器等の中に第１、２および第３の熱交換器が含まれている冷凍サイクルからなる冷暖房給湯装置であって、
前記第１の熱交換器（３、３’、３”）は加熱源として、前記第２の熱交換器（１３）は冷房および暖房源として、そして前記第３の熱交換器（１０）は熱源用熱交換器として選定され、
前記圧縮機と前記１、２および第３の熱交換器は冷媒回路で接続され、該冷媒回路を適宜切り替えることにより、浴槽（Ｙ）の湯および貯湯槽（２５）の水は、前記第１の熱交換器（３、３’、３”）により加熱され、冷暖房器（３４、３５）は、前記第２の熱交換器（１３）により冷却あるいは加熱されることを特徴とする冷凍サイクルからなる冷暖房給湯装置。
【手続補正２】
【補正対象書類名】明細書
【補正対象項目名】０００２
【補正方法】変更
【補正の内容】
【０００２】
【従来の技術】
ヒートポンプあるいは冷凍サイクルは、文献名を挙げるまでもなく従来周知で、圧縮機、凝縮器、膨張弁、蒸発器等から構成されている。したがって、圧縮機を起動して冷媒を凝縮器、膨張弁、蒸発器等の間を循環させると、冷媒が液体、気体、液体と状態変化し、そのとき凝縮器で熱を外部へ放出し、蒸発器で外部の熱を吸収するので、凝縮器を加熱源とし、蒸発器を冷却源として利用することができる。このような冷凍サイクルを応用した冷暖房給湯装置は、従来周知で例えば図５に示されているように、冷媒を圧縮する圧縮機１００、圧縮機１００から送られる高温の冷媒により温水を作る凝縮器すなわち給湯用熱交換器１０１、暖房時に凝縮器、そして冷房時に蒸発器の作用を奏する冷暖房用熱交換器１０２、暖房時に凝縮器、そして冷房時に蒸発器の作用を奏する熱源用熱交換器１０３等から構成されている。なお、図５中の他の符号１０４は冷却用フアンを、１０５は４方向切換弁を、１０６は膨張弁を、１０７は逆止弁を、そして１０８は室内用熱交換器をそれぞれ示している。
【手続補正３】
【補正対象書類名】明細書
【補正対象項目名】０００８
【補正方法】変更
【補正の内容】
【０００８】
【課題を解決するための手段】
請求項１に記載の発明は、上記目的を達成するために、圧縮機と熱交換器とからなる冷凍サイクルおよび水または熱媒体を保持する保持体を含む冷暖房給湯装置であって、前記熱交換機と前記保持体との間には熱媒体が循環する熱移動手段が接続され、前記熱移動手段は熱源として選定される前記熱交換器により熱交換されて加熱あるいは冷却され、前記水または熱媒体が前記熱移動手段を介して前記熱交換器により間接的に加熱されるように構成される。
請求項２に記載の発明は、圧縮機、凝縮器、蒸発器等の中に第１、２の熱交換器が含まれている冷凍サイクルからなる冷暖房給湯装置であって、前記第１の熱交換器は加熱源として選定され、そして前記第２の熱交換器は暖房および冷房源として選定され、前記第１の熱交換器と第２の熱交換器は冷媒回路的に直列に接続されていると共に、前記第１の熱交換器には熱媒体が循環する熱移動手段が接続され、浴槽の湯および貯湯槽の水は前記熱移動手段を介して前記第１の熱交換器により間接的に加熱されるように構成される。請求項３に記載の発明は、請求項１または２に記載の冷暖房給湯装置において、熱移動手段と保持体である浴槽との間には、浴湯の濾過、浄化手段、前記熱移動手段と浴湯との間に熱交換する熱交換器等からなる浴槽装置が介装されている。
請求項４に記載の発明は、圧縮機、凝縮器、蒸発器等の中に第１、２および第３の熱交換器が含まれている冷凍サイクルからなる冷暖房給湯装置であって、
前記第１および第２の熱交換器は加熱源として選定され、そして前記第３の熱交換器は暖房および冷房源として選定され、前記第１および第２の熱交換器は前記第３の熱交換器と冷媒回路的に直列に接続されていると共に、前記第１の熱交換器と前記第２の熱交換器には熱媒体が循環する熱移動手段がそれぞれ接続され、浴槽の湯および貯湯槽の水は、前記熱移動手段を介して前記第１、２の熱交換器により、それぞれ独立して間接的に加熱されるように構成される。
請求項５に記載の発明は、 圧縮機、凝縮器、蒸発器等の中に第１、２および第３の熱交換器が含まれている冷凍サイクルからなる冷暖房給湯装置であって、前記第１の熱交換器は加熱源として、前記第２の熱交換器は冷房および暖房源として、そして前記第３の熱交換器は熱源用熱交換器として選定され、前記圧縮機と前記１、２および第３の熱交換器は冷媒回路で接続され、該冷媒回路を適宜切り替えることにより、浴槽の湯および貯湯槽の水は、前記第１の熱交換器により加熱され、冷暖房器は、前記第２の熱交換器により冷却あるいは加熱されるように構成される。
【手続補正４】
【補正対象書類名】明細書
【補正対象項目名】０００９
【補正方法】変更
【補正の内容】
【０００９】
【発明の実施の形態】
以下、本発明の実施の形態を説明する。図１は、本発明の第１の実施の形態を示す模式図であるが、図１に示されているように、第１の実施の形態に係わる冷暖房給湯装置は、圧縮機２、第１の熱交換器３、第２の熱交換器１３、蒸発器あるいは凝縮器の作用を奏する熱源用熱交換器１０等からユニット１として構成されている。そして、このユニット１に付随して給湯・浴湯加熱装置２０と、冷暖房装置３０とが設けられている。
【手続補正５】
【補正対象書類名】明細書
【補正対象項目名】００２０
【補正方法】変更
【補正の内容】
【００２０】
Ｅ．浴槽加熱プラス冷房：冷媒が圧縮機２、第１の電磁開閉弁６、第１の熱交換器３の第１の熱交換部５、第２の電磁開閉弁７、膨張弁１７、第２の熱交換器１３の第１の熱交換部１５、４切換方弁１１、圧縮機２の順に循環する。給湯・浴湯加熱装置２０のポンプ３６が起動し、熱媒体例えば水が第２熱交換部２１、３方切換弁２３、浴槽装置５０の熱交換器９０、第２熱交換部２１の順に循環する。これにより浴槽加熱が行われる。第２の熱交換器１３は、蒸発器として作用し冷却される。冷暖房装置３０のポンプ２６が起動し 、熱媒体の例えば水が第２の熱交換部３１、冷暖房用熱交換器３４、ポンプ３６、および第２の熱交換部３１の順に循環する。この冷却された水の循環により、冷暖房用熱交換器３４により室内が冷房される。このとき床暖房用熱交換器２５に冷却された水循環させることにより床を冷やすこともできる。なお、このときも上記したようにして給湯加熱もできるので、浴槽加熱と給湯加熱プラス冷房ができることになる。
【手続補正６】
【補正対象書類名】明細書
【補正対象項目名】００２２
【補正方法】変更
【補正の内容】
【００２２】
Ｇ．給湯加熱プラス冷房：冷媒が圧縮機２、第１の電磁開閉弁６、第１の熱交換器３の第１の熱交換部５、第２の電磁開閉弁７、膨張弁１７、第２の熱交換器１３の第１の熱交換部１５、４切換方弁１１、圧縮機２の順に循環する。これにより、凝縮器である第１の熱交換器３が加熱され、その第２熱交換部２１も加熱される。ポンプ２７が起動し 、熱媒体である水が第２熱交換部２１、３方切換弁２３、貯湯槽２５の熱交換器２４、ポンプ２５、第２の熱交換部２１の順に循環する。これにより、貯湯槽２５中の水が加熱され、貯えられる。蛇口Ｔを開くと、従来周知のように出湯される。冷暖房装置３０のポンプ３６が起動し 、熱媒体の例えば水が第２熱交換部３１、冷暖房用熱交換器３４、ポンプ３６、および第２の熱交換部３１の順に循環する。この冷却された水の循環により、冷暖房用熱交換器３４により室内が冷房される。
【手続補正７】
【補正対象書類名】明細書
【補正対象項目名】００２５
【補正方法】変更
【補正の内容】
【００２５】
Ｊ．冷房：冷媒が圧縮機２、第４の電磁開閉弁１２、４方切換弁１１、熱源用熱交換器１０、第３の電磁開閉弁８、膨張弁１７、第２の熱交換器１３の第１の熱交換部１５、４切換方弁１１、圧縮機２の順に循環する。熱源用熱交換器１０は、凝縮器として作用し、第２の熱交換器１３は蒸発器として作用し冷却される。冷暖房装置３０のポンプ３６が起動し 、熱媒体であり水が第２の熱交換部２１、冷暖房用熱交換器３４、ポンプ３６、および第２の熱交換部３１の順に循環する。この冷却された水の循環により、冷暖房用熱交換器３４により室内が冷房される。なお、このときも前述したようにして暖房用熱交換器２５に冷却された水循環させることにより床を冷やすこともできる。
【手続補正８】
【補正対象書類名】明細書
【補正対象項目名】００２６
【補正方法】変更
【補正の内容】
【００２６】
次に、図２により本発明の第２の実施の形態を説明する。なお、図１に示されている第１の実施の形態と同じ構成要素には同じ参照符号を付けて、また同様な構成要素には同じ参照数字にダッシュ「’」あるいは「”」を付けて重複説明はしない。また、図２中の符号「ｒ」は冷媒管路を示し、４４ａ、４４ｂ、４４ｃ、、等は電磁開閉弁を、そして４５ａ、４５ｂ・・・等は逆止弁をそれぞれ示している。第２の実施の形態によると、給湯用の熱交換器３’と、浴槽用の熱交換器３”が分離され、配管等が損傷をしても浴湯と湯が混じらないようになっているが、浴槽加熱、冷暖房等は第１の実施の形態と略同様に作用する。以下、その例を説明する。なお、第２の実施の形態においても、電磁開閉弁４４ａ、４４ｂ、４４ｃ、、は適宜開閉されるものとして説明する。
【手続補正９】
【補正対象書類名】明細書
【補正対象項目名】００５６
【補正方法】変更
【補正の内容】
【００５６】
【発明の効果】
以上のように、本発明によると、圧縮機と熱交換器とからなる冷凍サイクルおよび水または熱媒体を保持する保持体を含む冷暖房給湯装置であって、前記熱交換機と前記保持体との間には熱媒体が循環する熱移動手段が接続され、前記熱移動手段は熱源として選定される前記熱交換器により熱交換されて加熱あるいは冷却され、前記水または熱媒体が前記熱移動手段を介して前記熱交換器により間接的に加熱されるようになっているので、冷暖と共に熱媒体あるいは水を効率的に加熱することができる。また、他の発明によると、圧縮機、凝縮器、蒸発器等の中に第１、２の熱交換器が含まれている冷凍サイクルからなる冷暖房給湯装置において、第１の熱交換器は加熱源として選定され、そして第２の熱交換器は暖房および冷房源として選定され、第１の熱交換器と第２の熱交換器は冷媒回路的に直列に接続されていると共に、第１の熱交換器には熱媒体が循環する熱移動手段が接続され、浴槽の湯および貯湯槽の水は前記熱移動手段を介して第１の熱交換器により間接的に加熱されるように構成されているので、冷暖房、比較的高温の給湯、浴湯の加熱等が単独でも、また組み合わせても使用目的に応じて効率的に加熱できるという、本発明に特有の効果が得られる。また、本発明によると、熱媒体が循環する熱移動手段を介して、浴槽の湯および貯湯槽の水が第１の熱交換器により間接的に加熱されるように構成されていので、浴湯と貯湯槽の水と混じることなく衛生的に給湯加熱することができる効果も得られる。さらに、他の発明によると、熱移動手段と浴槽との間には、浴湯の濾過、浄化手段、熱移動手段と浴湯との間に熱交換する熱交換器等からなる浴槽装置が介装されているので、浴湯が加熱されると共に、浴湯は濾過、浄化され２４時間随時に健康的に入浴を楽しむことができる効果が付加される。
【手続補正１０】
【補正対象書類名】図面
【補正対象項目名】図２
【補正方法】変更
【補正の内容】
【図２】
2000329424.tif 000001